(57)【要約】【課題】ＯＳＤ画像の使用に関する開発者や一般ユーザー等の使い勝手をより向上させることが可能なプロジェクター等を提供すること。【解決手段】プロジェクター１００が、ウェブブラウザー表示可能なＯＳＤ画像を生成するためのＯＳＤデータ１３２を記憶する記憶部１３０と、ＯＳＤデータ１３２に基づき、前記ＯＳＤ画像を生成するための画像情報と、操作情報に基づくＯＳＤデータ１３２を更新するための更新情報とを生成する情報生成部１８０と、前記画像情報に基づき、前記ＯＳＤ画像を生成する画像生成部１５０と、前記更新情報に基づき、ＯＳＤデータ１３２を更新する更新部１２０を含んで構成される。【選択図】図１
2010243889.tif 000002
【特許請求の範囲】
【請求項１】
ウェブブラウザー表示可能なＯＳＤ画像を生成するためのＯＳＤデータを記憶する記憶部と、
前記ＯＳＤデータに基づき、前記ＯＳＤ画像を生成するための画像情報と、操作情報に基づく前記ＯＳＤデータを更新するための更新情報とを生成する情報生成部と、
前記画像情報に基づき、前記ＯＳＤ画像を生成する画像生成部と、
前記更新情報に基づき、前記ＯＳＤデータを更新する更新部と、
を含むプロジェクター。
【請求項２】
請求項１に記載のプロジェクターにおいて、
前記操作情報に基づいて前記情報生成部によって生成される制御情報に基づき、前記プロジェクターに対する制御を行う制御部を含むプロジェクター。
【請求項３】
請求項１、２のいずれかに記載のプロジェクターにおいて、
前記操作情報を生成する操作部を含むプロジェクター。
【請求項４】
請求項１、２のいずれかに記載のプロジェクターにおいて、
前記ＯＳＤ画像を生成する機能を有する端末装置から前記操作情報を受信し、前記端末装置へ向け前記画像情報を送信する通信部を含むプロジェクター。
【請求項５】
コンピューターを、
ウェブブラウザー表示可能なＯＳＤ画像を生成するためのＯＳＤデータを記憶する記憶部と、
前記ＯＳＤデータに基づき、前記ＯＳＤ画像を生成するための画像情報と、操作情報に基づく前記ＯＳＤデータを更新するための更新情報とを生成する情報生成部と、
前記画像情報に基づき、前記ＯＳＤ画像を生成する画像生成部と、
前記更新情報に基づき、前記ＯＳＤデータを更新する更新部として機能させるプログラム。
【請求項６】
コンピューターにより読み取り可能なプログラムを記憶した情報記憶媒体であって、
請求項５に記載のプログラムを記憶した情報記憶媒体。
【発明の詳細な説明】
【技術分野】
【０００１】
本発明は、プロジェクター、プログラムおよび情報記憶媒体に関する。
【背景技術】
【０００２】
プロジェクターは、環境設定等を行うためのＯＳＤ(On Screen Display)画像を投写する機能を有している。例えば、特開２００６−２８５１６７号公報では、ＯＳＤ画像生成用プログラムと種々の制御プログラムが同一ＲＯＭに一体化して記憶されている。
【先行技術文献】
【特許文献】
【０００３】
【特許文献１】特開２００６−２８５１６７号公報
【発明の概要】
【発明が解決しようとする課題】
【０００４】
このように、ＯＳＤ画像生成用プログラムと種々の制御プログラムが一体化されていると、ＯＳＤ画像生成用プログラムの一部を変更する場合であっても、一体化されたプログラム全体が更新される必要があり、ソースプログラムからオブジェクトプログラムへの変換、プログラムのダウンロード等に時間がかかっていた。
【０００５】
また、ＯＳＤ画像生成用プログラムと種々の制御プログラムが一体化されていると、一般ユーザーにとってＯＳＤ画像生成用プログラムを更新することは困難であり、一般ユーザーが、ＯＳＤ画像の文字の大きさを変更したり、ＯＳＤ画像の言語を変更したりすることは容易ではなかった。
【０００６】
本発明にかかるいくつかの態様は、上記課題を解決することにより、ＯＳＤ画像の使用に関する開発者や一般ユーザー等の使い勝手をより向上させることが可能なプロジェクター、プログラムおよび情報記憶媒体を提供するものである。
【課題を解決するための手段】
【０００７】
本発明の態様の１つであるプロジェクターは、ウェブブラウザー表示可能なＯＳＤ画像を生成するためのＯＳＤデータを記憶する記憶部と、前記ＯＳＤデータに基づき、前記ＯＳＤ画像を生成するための画像情報と、操作情報に基づく前記ＯＳＤデータを更新するための更新情報とを生成する情報生成部と、前記画像情報に基づき、前記ＯＳＤ画像を生成する画像生成部と、前記更新情報に基づき、前記ＯＳＤデータを更新する更新部と、を含むことを特徴とする。
【０００８】
また、本発明の態様の１つであるプログラムは、コンピューターを、ウェブブラウザー表示可能なＯＳＤ画像を生成するためのＯＳＤデータを記憶する記憶部と、前記ＯＳＤデータに基づき、前記ＯＳＤ画像を生成するための画像情報と、操作情報に基づく前記ＯＳＤデータを更新するための更新情報とを生成する情報生成部と、前記画像情報に基づき、前記ＯＳＤ画像を生成する画像生成部と、前記更新情報に基づき、前記ＯＳＤデータを更新する更新部として機能させることを特徴とする。
【０００９】
また、本発明の態様の１つである情報記憶媒体は、コンピューターにより読み取り可能なプログラムを記憶した情報記憶媒体であって、上記プログラムを記憶したことを特徴とする。
【００１０】
本発明によれば、プロジェクター等は、ウェブブラウザー表示可能なＯＳＤデータを用いてＯＳＤ画像を生成することができる。これにより、開発者は、ＯＳＤ画像の内容を変更する場合に変更しやすく、一般ユーザーも、ＯＳＤデータを更新しやすい。
【００１１】
また、前記プロジェクター等は、前記操作情報に基づいて前記情報生成部によって生成される制御情報に基づき、前記プロジェクターに対する制御を行う制御部を含んでもよい。
【００１２】
これによれば、プロジェクター等は、操作に応じて制御を行うことができる。
【００１３】
また、前記プロジェクター等は、前記操作情報を生成する操作部を含んでもよい。
【００１４】
これによれば、プロジェクター等は、内部的に生成される操作情報に応じてＯＳＤデータの更新等を行うことができる。
【００１５】
また、前記プロジェクター等は、前記ＯＳＤ画像を生成する機能を有する端末装置から前記操作情報を受信し、前記端末装置へ向け前記画像情報を送信する通信部を含んでもよい。
【００１６】
これによれば、プロジェクター等は、端末装置にＯＳＤ画像を生成させることができる上、端末装置からの操作情報に応じてＯＳＤデータの更新等を行うことができる。
【図面の簡単な説明】
【００１７】
【図１】第１の実施例におけるプロジェクターの機能ブロック図である。
【図２】第１の実施例におけるＯＳＤデータの更新手順を示すフローチャートである。
【図３】第２の実施例におけるプロジェクターの機能ブロック図である。
【図４】第２の実施例におけるＯＳＤデータの更新手順を示すフローチャートである。
【発明を実施するための形態】
【００１８】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１９】
（第１の実施例）
プロジェクターは、画像の明るさの調整や使用言語の変更等を行うためのＯＳＤ画像を投写し、ユーザーによる操作に応じてＯＳＤデータ等を更新する機能を有する。次に、このような機能を有するプロジェクターの機能ブロックについて説明する。
【００２０】
図１は、第１の実施例におけるプロジェクター１００の機能ブロック図である。プロジェクター１００は、ＯＳＤ画像を生成するためのＯＳＤデータ１３２、制御を行うための制御データ１３４等を記憶する記憶部１３０と、ＯＳＤデータ１３２を更新するための更新情報等を生成する情報生成部１８０と、操作部１１０と、ＯＳＤデータ１３２等を更新する更新部１２０と、種々の制御を行う制御部１４０と、ＯＳＤ画像等を生成する画像生成部１５０と、ＯＳＤ画像等を投写する投写部１９０を含んで構成されている。
【００２１】
なお、ＯＳＤデータ１３２は、ウェブブラウザー表示可能なＯＳＤ画像を生成可能なデータ（例えば、ＨＴＭＬ、ＸＭＬ等で記述されたデータ、Ｊａｖａ（登録商標）アプレット等のソフトウェア部品等。なお、Ｊａｖａ（登録商標）は米国サン・マイクロシステムズ社の商標である。）である。また、図１に示すように、ＯＳＤデータ１３２は、制御データ１３４とは分離して記憶部１３０に記憶されている。
【００２２】
また、画像生成部１５０は、ウェブブラウザーとしての機能も有しており、ＨＴＭＬ等を解釈して画像を生成する機能を有している。また、情報生成部１８０は、ウェブサーバーとしての機能も有しており、画像生成部１５０や外部の装置等にウェブブラウザーで画像を生成可能な画像情報等を提供する機能を有している。
【００２３】
また、プロジェクター１００は、以下のハードウェアを用いてこれらの各部として機能してもよい。例えば、プロジェクター１００は、操作部１１０はリモコン（リモートコントローラー）、ボタン等、更新部１２０、制御部１４０、情報生成部１８０はＣＰＵ等、記憶部１３０は不揮発性メモリー等、画像生成部１５０は画像処理回路等、投写部１９０はランプ、液晶パネル、液晶駆動回路、レンズ等を用いてもよい。
【００２４】
また、プロジェクター１００の有するコンピューターは、情報記憶媒体２００に記憶されたプログラムを読み取って更新部１２０等として機能してもよい。このような情報記憶媒体２００としては、例えば、ＣＤ−ＲＯＭ、ＤＶＤ−ＲＯＭ、ＲＯＭ、ＲＡＭ、ＨＤＤ等を適用できる。
【００２５】
次に、プロジェクター１００におけるＯＳＤデータ１３２の更新手順について説明する。図２は、第１の実施例におけるＯＳＤデータ１３２の更新手順を示すフローチャートである。
【００２６】
情報生成部１８０は、操作部１１０からの操作情報に基づき、ＯＳＤ画像の投写指示があるかどうかを判定する（ステップＳ１）。ＯＳＤ画像の投写指示があった場合、情報生成部１８０は、ＯＳＤデータ１３２に基づき、ＯＳＤ画像用の画像情報を生成する（ステップＳ２）。
【００２７】
画像生成部１５０は、当該画像情報に基づき、ＯＳＤ画像を生成し、投写部１９０は、当該ＯＳＤ画像を投写する（ステップＳ３）。
【００２８】
ユーザーは、ＯＳＤ画像が投写された状態でリモコンを操作してＯＳＤ画像内の項目の選択や数値の変更等を行う。情報生成部１８０は、操作部１１０からの操作情報に基づき、ＯＳＤデータ１３２の更新指示があるかどうかを判定する（ステップＳ４）。
【００２９】
ＯＳＤデータ１３２の更新指示があった場合、情報生成部１８０は、更新情報を生成し（ステップＳ５）、更新部１２０は、当該更新情報に基づき、ＯＳＤデータ１３２を更新する（ステップＳ６）。例えば、更新情報がデフォルトの言語を日本語から英語に更新する指示を示す場合、更新部１２０は、ＯＳＤデータ１３２におけるデフォルト言語の設定を英語に更新する。これにより、ＯＳＤ画像で使用される言語が英語に更新される。
【００３０】
一方、ＯＳＤデータ１３２の更新指示がなかった場合、プロジェクター１００は、ＯＳＤデータ１３２の更新を行わず、ＯＳＤ画像の投写を終了する。
【００３１】
また、情報生成部１８０は、操作部１１０からの操作情報に基づき、制御指示があるかどうかを判定し、制御指示があった場合は、制御データ１３４に基づき、制御情報を生成する。
【００３２】
制御部１４０は、当該制御情報に基づく制御を行う。例えば、画像の部分拡大指示があった場合、制御部１４０は、画像生成部１５０を制御し、ユーザーによって指定された領域を拡大した画像を生成させる。また、例えば、画像の全体的なズーム指示があった場合、制御部１４０は、投写部１９０を制御し、画像全体を拡大して投写させる。
【００３３】
以上のように、本実施例によれば、プロジェクター１００は、ＯＳＤデータ１３２と、制御データ１３４を分離して記憶することにより、ＯＳＤデータ１３２の更新、ＯＳＤデータ１３２に基づく画像情報の生成、制御データ１３４に基づく制御情報の生成等を行いやすい。これにより、開発者や一般ユーザーは、ＯＳＤデータ１３２を容易に更新することができ、プロジェクター１００は、ユーザーの使い勝手をより向上させることができる。
【００３４】
また、本実施例によれば、プロジェクター１００は、ウェブブラウザー表示可能なＯＳＤデータ１３２を用いてＯＳＤ画像を生成することができる。これにより、開発者は、ＯＳＤ画像の内容を変更する場合に変更しやすく、一般ユーザーも、ＯＳＤデータ１３２を更新しやすい。
【００３５】
（第２の実施例）
プロジェクター１００の機能を複数の装置に分散してもよい。例えば、ユーザーは、端末装置を用いてプロジェクターに対してＯＳＤデータ１３２の更新指示を行ってもよい。次に、このような端末装置とプロジェクターを使用する実施例について説明する。
【００３６】
図３は、第２の実施例におけるプロジェクター１０１の機能ブロック図である。プロジェクター１０１は、ウェブブラウザーを実装した端末装置（例えば、ＰＣ、携帯電話、ゲーム装置等）と通信可能に形成されている。より具体的には、プロジェクター１０１は、操作部１１０と、更新部１２０と、記憶部１３０と、制御部１４０と、画像生成部１５０と、端末装置と通信を行う通信部１６０と、情報生成部１８１と、投写部１９０を含んで構成されている。
【００３７】
なお、通信部１６０は、例えば、ＬＡＮユニット等であってもよい。通信部１６０以外のハードウェア構成は第１の実施例と同様であるため説明を省略する。また、プロジェクター１０１の有するコンピューターは、情報記憶媒体２０１からプログラムを読み取って情報生成部１８１等として機能してもよい。
【００３８】
次に、プロジェクター１０１におけるＯＳＤデータ１３２の更新手順について説明する。図４は、第２の実施例におけるＯＳＤデータ１３２の更新手順を示すフローチャートである。
【００３９】
例えば、ユーザーは、デフォルトの使用言語を変更したり、ＯＳＤ画像における文字の大きさを変更したりする場合等において、端末装置を操作してＯＳＤデータ１３２の更新指示を行う。端末装置は、当該更新指示を示す操作情報をプロジェクター１０１に送信する。
【００４０】
情報生成部１８１は、通信部１６１によって端末装置からの更新指示を示す操作情報が受信されたかどうかを判定することにより、ＯＳＤデータ１３２の更新指示があったかどうかを判定する（ステップＳ１１）。ＯＳＤデータ１３２の更新指示があった場合、情報生成部１８１は、更新情報を生成する（ステップＳ１２）。
【００４１】
更新部１２０は、情報生成部１８１からの更新情報に基づき、ＯＳＤデータ１３２を更新する（ステップＳ１３）。情報生成部１８１は、ＯＳＤデータ１３２に基づくＯＳＤ画像情報を生成し、通信部１６０は、当該画像情報を端末装置に送信する（ステップＳ１４）。
【００４２】
端末装置は、当該画像情報に基づき、ＯＳＤ画像を生成し、当該ＯＳＤ画像を表示する。なお、制御部１４０は、第１の実施例と同様に制御情報に基づく制御を行うことができる。
【００４３】
以上のように、本実施例によれば、プロジェクター１０１は、第１の実施例のプロジェクター１００と同様の作用効果を奏する。また、本実施例によれば、ユーザーは、端末装置を用いてＯＳＤデータ１３２を更新することができるため、プロジェクター１０１から離れた位置にいる場合であってもＯＳＤデータ１３２を更新することができる。
【００４４】
（その他の実施例）
なお、本発明の適用は上述した実施例に限定されず、種々の変形が可能である。例えば、ＯＳＤデータ１３２の更新手法は上述した実施例には限定されない。例えば、仕様変更やバージョンアップ等の目的でＯＳＤデータ１３２の全体が更新されてもよい。プロジェクター１００、１０１は、ＯＳＤデータ１３２の全体を更新する場合であっても、ＯＳＤデータ１３２が制御データ１３４と分離されているため、より短時間で更新することができる。
【００４５】
また、プロジェクター１００は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。
【符号の説明】
【００４６】
１００、１０１  プロジェクター、１１０  操作部、１２０  更新部、１３０  記憶部、１３２  ＯＳＤデータ、１３４  制御データ、１４０  制御部、１５０  画像生成部、１６０  通信部、１８０、１８１  情報生成部、１９０  投写部、２００、２０１  情報記憶媒体
【図１】
2010243889.tif 000003
【図２】
2010243889.tif 000004
【図３】
2010243889.tif 000005
【図４】
2010243889.tif 000006